(57)【要約】【課題】患者の姿勢保持構造を簡単な操作で安全かつ迅速に変更可能な医療台を提供する。【解決手段】床上に配置されるベースと、このベースに固定された作動機構部と、この作動機構部に取り付けられ、患者の背部を支え、前記作動機構部によりリクライニング可能な背板部と、起立状態の前記背板部の下方に配置されるように前記作動機構部に取り付けられ、座フレームと足受フレームとを備え前記患者の臀部を支える可動式の座部と、前記座部の両側方に配置されるように前記作動機構部に取り付けられ、前記患者の脚部を支える支脚器とを備え、前記座部が略水平な使用状態と前記座フレームおよび前記足受フレームの各下面が向かい合うように配置される折り畳み状態とに移行可能である医療台。【選択図】図３
2014064811.tif 000002
【特許請求の範囲】
【請求項１】
床上に配置されるベースと、
このベースに固定された作動機構部と、
この作動機構部に取り付けられ、患者の背部を支え、前記作動機構部によりリクライニング可能な背板部と、
起立状態の前記背板部の下方に配置されるように前記作動機構部に取り付けられ、前記患者の臀部を支える可動式の座部と、
前記座部の両側方に配置されるように前記作動機構部に取り付けられ、前記患者の脚部を支える支脚器と、
を備える医療台であって、
前記座部は、
前記作動機構部に取り付けられた座部支持アームと、
前記座部支持アームに固定され略水平方向に延びる座部支持軸と、
この座部支持軸を中心として回動可能に前記座部支持アームに取り付けられた座フレームと、
前記座部支持軸に対して略平行となるように前記座フレームに固定された足受支持軸と、
前記足受支持軸を中心として回動可能に前記座フレームに取り付けられた足受フレームと、
前記座部支持アームに対する前記座フレームの回動および前記座フレームに対する前記足受フレームの回動を制御する座部機構部と
を備え、前記座フレームの上面が略水平となる使用状態と、前記座フレームの前記上面にして前記足受フレームの上面が略面一に並置される伸張状態と、前記座フレームおよび前記足受フレームの各下面が向かい合うように配置される折り畳み状態とに移行可能であり、
前記座部機構部は、
前記座部支持アームに対する前記座フレームの回動位置を前記折り畳み状態または前記使用状態にロックする座フレームロック機構と、
前記座フレームに対する前記足受フレームの回動位置を前記伸張状態または前記折り畳み状態にロックする足受フレームロック機構と、
これら足受フレームロック機構と座フレームロック機構とをリンクさせてロックまたはロックを解除するリンク機構と
を備えることを特徴とする医療台。
【請求項２】
前記座フレームロック機構は、
前記座フレームに設けられた第１回動軸中心に回動可能であり、前記座部支持アームに設けられた第１ロックピンに対して前記折り畳み状態において係合する第１フック部を有する第１フック部材と、
前記座フレームに設けられた第２回動軸中心に回動可能であり、前記座部支持アームに設けられた第２ロックピンに対して前記使用状態において係合する第２フック部を有する第２フック部材と
を備えることを特徴とする請求項１に記載の医療台。
【請求項３】
前記足受フレームロック機構は、
前記座フレームに設けられた第３回動軸中心に回動可能であり、前記足受フレームに設けられた第３ロックピンに前記折り畳み状態において係合する第３フック部および前記足受フレームに設けられた第４ロックピンに前記伸張状態において係合する第４フック部を有する第３フック部材を備えることを特徴とする請求項２に記載の医療台。
【請求項４】
前記リンク機構は、
両端部に設けられたロッド支持軸がそれぞれ前記第１フック部材および前記第３フック部材に連結されていることによりこれら第１フック部材および第３フック部材を同時に回動させるとともに、前記第２フック部材に係合してこの第２フック部材を回動させる回動ピンを有するロッド部材を備え、
前記第３フック部材を回動させることにより前記ロッド部材を進退させ、このロッド部材の進退により前記第１フック部材および前記第２フック部材を回動させる
ことを特徴とする請求項３に記載の医療台。
【請求項５】
前記リンク機構はさらに、
前記ロッド部材と前記座フレームとを連結し、前記座フレームロック機構および前記足受フレームロック機構を前記折り畳み状態にロックさせる方向に前記ロッド部材を付勢する第１付勢部材を備えることを特徴とする請求項４に記載の医療台。
【請求項６】
前記リンク機構はさらに、
前記第２フック部材と前記座フレームとを連結し、前記座フレームロック機構を前記使用状態にロックさせる方向に前記ロッド部材を付勢する第２付勢部材を備えることを特徴とする請求項４または５に記載の医療台。
【請求項７】
前記座部支持アームに対して前記座部支持軸を中心として前記座フレームを回動可能に連結し、前記座フレームを支持するダンパーをさらに備えることを特徴とする請求項１から６のいずれかに記載の医療台。
【発明の詳細な説明】
【技術分野】
【０００１】
本発明は、産科・婦人科における医療行為に用いられる検診台や手術台、分娩台等の医療台に関する。
【背景技術】
【０００２】
従来、産科・婦人科において、分娩、診察、治療等の際に患者の体を支える医療台が用いられている。医療台は、患者の胴体を支持する背板（背もたれ）、腰を支持する胴受（座面・腰板）、脚を支持する支脚器（踵受、股受）等を備え、これらの角度や位置を必要に応じて変更できる構成により、患者の姿勢を安定して保つことを可能にしている。
【０００３】
いわゆる分娩台や検診台と呼ばれる医療台は、分娩や内診等の際に患者を座位や仰臥位で開脚挙上状態に保つことができるが、平坦な広い床面がないと患者を臥位で長時間安静に保つことが難しいという問題がある。
【０００４】
例えば人工授精を行う場合、検診台において仰臥位開脚挙上状態で施術を行った後に、患者は長時間安静を保つ必要がある。また、分娩台を用いた仰臥位開脚挙上状態での出産後、出産者に大量出血等がないことを確認して移動可能な状態となるまでは、安静に保つ必要がある。しかしながら、平坦な広い床面がない医療台では、患者の姿勢を開脚状態から閉脚状態には変更できるものの、患者は両足挙上の姿勢に拘束されたままとなり、精神的にも肉体的にも負担が大きい。
【０００５】
これに対して、例えば特許文献１には、患者の下半身を支持する平坦なマット状の下半身支持部を備える医療台が記載されている。この医療台では、患者の上半身を支持する上半身支持部とともに下半身支持部を略水平状態としてほぼ平坦な床面を形成できるので、患者は医療台上から移動せずに脚を降ろして臥位に移行でき、楽な姿勢で安静に保つことができる。
【先行技術文献】
【特許文献】
【０００６】
【特許文献１】特開２００４−３１３２４０号公報
【発明の概要】
【発明が解決しようとする課題】
【０００７】
さらに、近年では、陣痛（Ｌａｂｏｒ）から分娩（Ｄｅｌｉｖｅｒｙ）、回復（Ｒｅｃｏｖｅｒｙ）までの間に患者を移動させず、医療設備を備える一室で過ごさせることにより、妊産婦の精神的・肉体的負担の軽減が期待できるＬＤＲシステムと呼ばれる出産システムが注目されている。このＬＤＲシステムにおいては、比較的高度な医療行為も可能である分娩台を、回復期の利用に適したベッドに移行できることが求められる。
【０００８】
特許文献１に記載の医療台では、下半身支持部を構成する複数のマットが折りたたまれた状態で座板の下部に収納されており、使用時に組み立てることにより平坦な床面を形成できる。このような医療台において、より簡単な操作で安全かつ迅速に、平坦な床面を形成することが求められている。
【０００９】
本発明は、このような事情に鑑みてなされたもので、患者の姿勢保持構造を簡単な操作で安全かつ迅速に変更可能な医療台を提供することを目的とする。
【課題を解決するための手段】
【００１０】
本発明は、床上に配置されるベースと、このベースに固定された作動機構部と、この作動機構部に取り付けられ、患者の背部を支え、前記作動機構部によりリクライニング可能な背板部と、起立状態の前記背板部の下方に配置されるように前記作動機構部に取り付けられ、前記患者の臀部を支える可動式の座部と、前記座部の両側方に配置されるように前記作動機構部に取り付けられ、前記患者の脚部を支える支脚器と、を備える医療台である。
【００１１】
本発明の医療台において、前記座部は、前記作動機構部に取り付けられた座部支持アームと、前記座部支持アームに固定され略水平方向に延びる座部支持軸と、この座部支持軸を中心として回動可能に前記座部支持アームに取り付けられた座フレームと、前記座部支持軸に対して略平行となるように前記座フレームに固定された足受支持軸と、前記足受支持軸を中心として回動可能に前記座フレームに取り付けられた足受フレームと、前記座部支持アームに対する前記座フレームの回動および前記座フレームに対する前記足受フレームの回動を制御する座部機構部とを備え、前記座フレームの上面が略水平となる使用状態と、前記座フレームの前記上面に対して前記足受フレームの上面が略面一に並置される伸張状態と、前記座フレームおよび前記足受フレームの各下面が向かい合うように配置される折り畳み状態とに移行可能である。
【００１２】
また本発明の医療台において、前記座部機構部は、前記座部支持アームに対する前記座フレームの回動位置を前記折り畳み状態または前記使用状態にロックする座フレームロック機構と、前記座フレームに対する前記足受フレームの回動位置を前記伸張状態または前記折り畳み状態にロックする足受フレームロック機構と、これら足受フレームロック機構と座フレームロック機構とをリンクさせてロックまたはロックを解除するリンク機構とを備える。
【００１３】
この医療台では、簡単な操作によって座部を折り畳み状態と伸張状態とに移行可能であり、診察時等には不要な座部を折り畳み状態で収容できる一方、安静時には座部を伸張状態として背板部に連なる略水平な床面を形成することができる。また、折り畳み状態および伸張状態の各状態において、足受フレームと座フレームをそれぞれロックまたはロック解除できるので、座部を確実に収容状態または利用状態とすることができる。
【００１４】
この医療台において、前記座フレームロック機構は、前記座フレームに設けられた第１回動軸中心に回動可能であり、前記座部支持アームに設けられた第１ロックピンに対して前記折り畳み状態において係合する第１フック部を有する第１フック部材と、前記座フレームに設けられた第２回動軸中心に回動可能であり、前記座部支持アームに設けられた第２ロックピンに対して前記使用状態において係合する第２フック部を有する第２フック部材とを備えることが好ましい。
【００１５】
また、前記足受フレームロック機構は、前記座フレームに設けられた第３回動軸中心に回動可能であり、前記足受フレームに設けられた第３ロックピンに前記折り畳み状態において係合する第３フック部および前記足受フレームに設けられた第４ロックピンに前記伸張状態において係合する第４フック部を有する第３フック部材を備えることが好ましい。
【００１６】
また、前記リンク機構は、両端部に設けられたロッド支持軸がそれぞれ前記第１フック部材および前記第３フック部材に連結されていることによりこれら第１フック部材および前記第３フック部材を同時に回動させるとともに、前記第２フック部材に係合してこの第２フック部材を回動させる回動ピンを有するロッド部材を備え、前記第３フック部材を回動させることにより前記ロッド部材を進退させ、このロッド部材の進退により前記第１フック部材および前記第２フック部材を回動させることが好ましい。
【００１７】
また、この医療台において、前記ロッド部材と前記座フレームとを連結し、前記座フレームロック機構および前記足受フレームロック機構を前記折り畳み状態にロックさせる方向に前記ロッド部材を付勢する第１付勢部材を備えることが好ましい。
【００１８】
また、前記第２フック部材と前記座フレームとを連結し、前記座フレームロック機構を前記使用状態にロックさせる方向に前記ロッド部材を付勢する第２付勢部材を備えることが好ましい。
【００１９】
また、前記座部支持アームに対して前記座部支持軸を中心として前記座フレームを回動可能に連結し、前記座フレームを支持するダンパーをさらに備えることが好ましい。
【００２０】
この場合、座部の折り畳み状態および伸張状態を簡潔な機構によってロックできるので、誤動作や故障が生じにくく、信頼性の高い医療台を提供できる。
【発明の効果】
【００２１】
本発明の医療台によれば、患者の姿勢保持構造を簡単な操作で安全かつ迅速に変更できる。
【図面の簡単な説明】
【００２２】
【図１】本発明の一実施形態に係る医療台の椅子ポジションから診察ポジションへの移行を示す斜視図である。
【図２】医療台の診察ポジションから安静ポジションへの移行を示す斜視図である。
【図３】図１に示す医療台において、折り畳み状態でロックされた座部を示す側面図である。
【図４】折り畳み状態のロックが解除された座部を示す側面図である。
【図５】伸張状態でロックされた座部を示す側面図である。
【図６】使用状態でロックされた座部を示す側面図である。
【図７】使用状態のロックを解除され、折り畳み状態にロックされる前の座部を示す側面図である。
【発明を実施するための形態】
【００２３】
以下、本発明に係る医療台の実施形態について図を参照しながら説明する。図１〜図２に示すように、医療台１０は、床上に配置されるベース２０と、ベース２０に固定された作動機構部３０と、作動機構部３０に取り付けられ、患者の背部を支え、作動機構部３０によりリクライニング可能な背板部４０と、起立状態の背板部４０の下方に配置されるように作動機構部３０に取り付けられ、患者の臀部を支える可動式の座部５０と、座部５０の両側方に配置されるように作動機構部３０に取り付けられ、患者の脚部を支える支脚器６０と、を備える。
【００２４】
この医療台１０は、患者の臀部を支える略水平な座面を有する座部５０が起立した背板部４０の下端部近傍に配置された椅子ポジション（図１（ａ））から、背もたれが略水平となるように背板部４０を傾斜させた診察ポジションを経て（図１（ｂ））、診察ポジションにおいては下部に配置されていた座部５０を折り畳み状態で背板部４０に近接させた後（図２（ａ））、略水平な座面および足受面が背板部４０の下端部に接続されて略平坦なベッド状となった安静ポジション（図２（ｂ））への移行が可能となっている。
【００２５】
ベース２０は、水平調整可能な脚部やキャスタ等（図示せず）を備え、診察室などの床上に設置される。このベース２０上に固定された作動機構部３０は、背板部４０の傾斜および昇降、座部５０の昇降、支脚器６０の開閉等を行う駆動機構（図示せず）等を内蔵している。すなわち、作動機構部３０は、医療台１０の患者保持姿勢を変更するための動力駆動機構を内蔵している。これらの操作は、背板部４０に設けられたスイッチ（図示せず）や、作動機構部３０とは別体のスイッチボックス（図示せず）などによって行われる。
【００２６】
背板部４０は、椅子ポジション時に上部に位置し、患者の背部を支える背板４１と、背板４１の下方に連続して設けられ、患者の腰部を支える腰板４２とを備え、作動機構部３０によって駆動されて任意の傾斜角度にリクライニング可能となっている。腰板４２の両側方には、椅子ポジション時に患者が腕を載せることができる肘受４３が備えられている。
【００２７】
支脚器６０は、作動機構部３０から延びる一対の支脚アーム６１と、各支脚アーム６１の先端部に設けられた一対の股受６２とを備え、作動機構部３０に内蔵された駆動機構によって背板部４０とともに昇降され、患者の脚部を開脚状態または閉脚状態で支持することができる。
【００２８】
座部５０は、図３に示すように、作動機構部３０に取り付けられた座部支持アーム７０と、座部支持アーム７０に固定され略水平方向に延びる座部支持軸７１と、座部支持軸７１を中心として回動可能に座部支持アーム７０に取り付けられた座フレーム８０と、座部支持軸７１に対して略平行となるように座フレーム８０に固定された足受支持軸８１と、足受支持軸８１を中心として回動可能に座フレーム８０に取り付けられた足受フレーム９０と、座部支持アーム７０に対する座フレーム８０の回動および座フレーム８０に対する足受フレーム９０の回動を制御する座部機構部１００とを備える。なお、座部機構部１００に操作者や患者が触れることがないように、図３〜７に示す座部５０の側面はカバー（図示略）によって覆われている。
【００２９】
座部支持アーム７０は、作動機構部３０から背板部４０の下部前方に向けて延び、座部５０の両側方で座部支持軸７１の両端部を支持している。この座部支持軸７１に回動可能に取り付けられた座フレーム８０の上面には、患者の脚が載せられるクッション材８２が取り付けられている。座フレーム８０は、座部支持軸７１を中心としてクッション材８２とともに回動し、クッション材８２の上面８２ａが略水平となる使用状態（図６）と、起立状態となる折り畳み状態（図３）とに移行可能となっている。
【００３０】
また、座部支持アーム７０には、座部支持アーム７０に対する座フレーム８０の回動位置を可変としながら座フレーム８０を支持するダンパー７２が備えられている。固定された座部支持アーム７０および伸縮自在なダンパー７２が異なる支点で座フレーム８０を支持していることにより、座フレーム８０はダンパー７２の衝撃吸収機構によりクッション性を有するとともに急激な動きが防止されつつ、座部支持軸７１を中心として回動可能となっている。
【００３１】
この座フレーム８０の先端部に設けられた足受支持軸８１に、足受フレーム９０が回動可能に取り付けられている。足受フレーム９０の上面には、患者の脚が載せられるクッション材９１が取り付けられている。この足受フレーム９０と座フレーム８０とを備える座部５０は、足受支持軸８１および座部支持軸７１を関節として折り畳み可能となっている。
【００３２】
すなわち座部５０は、座フレーム８０のクッション材８２の上面８２ａが略水平となる使用状態（図６）と、座フレーム８０のクッション材８２の上面８２ａに対して足受フレーム９０のクッション材９１の上面９１ａが略面一に並置される伸張状態（図５，６）と、座フレーム８０が起立状態となり座フレーム８０および足受フレーム９０の各下面が向かい合うように配置される折り畳み状態（図３）とに移行可能である。
【００３３】
座部５０のポジションを変更させる座部機構部１００は、図３〜７に示すように、座部支持アーム７０に対する座フレーム８０の回動位置を折り畳み状態または使用状態にロックする座フレームロック機構１１０と、座フレーム８０に対する足受フレーム９０の回動位置を伸張状態または折り畳み状態にロックする足受フレームロック機構１２０と、足受フレームロック機構１２０と座フレームロック機構１１０とをリンクさせてロックまたはロックを解除するリンク機構１３０とを備える。
【００３４】
座フレームロック機構１１０は、座フレーム８０に設けられた第１回動軸１１１中心に回動可能であり、座部支持アーム７０に設けられた第１ロックピン１１２に対して折り畳み状態において係合する第１フック部１１３ａを有する第１フック部材１１３と、座フレーム８０に設けられた第２回動軸１１４中心に回動可能であり、座部支持アーム７０に設けられた第２ロックピン１１５に対して使用状態において係合する第２フック部１１６ａを有する第２フック部材１１６とを備える。
【００３５】
すなわち、座フレームロック機構１１０において、座フレーム８０が起立状態となる折り畳み状態では、第１フック部材１１３と第１ロックピン１１２との係合により、座部支持アーム７０に対する座フレーム８０の回動位置が固定される。一方、座フレーム８０が略水平となる使用状態では、第２フック部材１１６と第２ロックピン１１５との係合により、座部支持アーム７０に対する座フレーム８０の回動位置が固定される。
【００３６】
足受フレームロック機構１２０は、座フレーム８０に設けられた第３回動軸１２１中心に回動可能であり、図３に示すように足受フレーム９０に設けられた第３ロックピン１２２に折り畳み状態において係合する第３フック部１２３ａと、図６に示すように足受フレーム９０に設けられた第４ロックピン１２４に伸張状態において係合する第４フック部１２３ｂとを有する第３フック部材１２３を備える。
【００３７】
なお、この第３フック部材１２３には操作用のレバー部材１２５が固定されており、このレバー部材１２５を操作することにより、第３回動軸１２１を中心として第３フック部材１２３を回動させることができる。
【００３８】
すなわち、足受フレームロック機構１２０において、座フレーム８０の下面に足受フレーム９０の下面が向かい合わせとなる折り畳み状態では、第３フック部材１２３の第３フック部１２３ａと第３ロックピン１２２との係合により、座フレーム８０に対する足受フレーム９０の回動位置が固定される。
【００３９】
一方、座フレーム８０のクッション材８２の上面８２ａと足受フレーム９０のクッション材９１の上面９１ａとが略面一となる伸張状態では、第３フック部材１２３の第４フック部１２３ｂと第４ロックピン１２４との係合により、座フレーム８０に対する足受フレーム９０の回動位置が固定される。
【００４０】
足受フレームロック機構１２０と座フレームロック機構１１０とをリンクさせるリンク機構１３０は、両端部に設けられたロッド支持軸１３１ａがそれぞれ第１フック部材１１３および第３フック部材１２３に連結されていることによりこれら第１フック部材１１３および第３フック部材１２３を同時に回動させるとともに、第２フック部材１１６の係合部１１６ｂに係合してこの第２フック部材１１６を回動させる回動ピン１３１ｂを有するロッド部材１３１を備える。
【００４１】
このリンク機構１３０は、さらに、ロッド部材１３１と座フレーム８０とを連結し、座フレームロック機構１１０および足受フレームロック機構１２０を折り畳み状態にロックさせる方向にロッド部材１３１を付勢する第１付勢部材１３２を備える。また、第２フック部材１１６と座フレーム８０とを連結し、座フレームロック機構１１０を使用状態にロックさせる方向にロッド部材１３１を付勢する第２付勢部材１３３を備える。
【００４２】
このリンク機構１３０において、ロッド部材１３１、第１フック部材１１３、第３フック部材１２３および座フレーム８０は、第１回動軸１１１、第３回動軸１２１および各ロッド支持軸１３１ａをジョイントとする四節リンク構造を形成している。したがって、レバー部材１２５を操作して第３フック部材１２３を回動させると、第３フック部材１２３に連結されたロッド部材１３１が移動して、ロッド部材１３１に連結された第１フック部材１１３を同時に回動させるので、座部５０を折り畳み状態とする第１フック部材１１３および第３フック部材１２３によるロックおよびそのロック解除を同時に確実に行うことができる。
【００４３】
同時に、このレバー部材１２５の操作によりロッド部材１３１が図の略下方に向けて移動すると、ロッド部材１３１の中間部に設けられた回動ピン１３１ｂが移動して第２フック部材１１６の係合部１１６ｂを略下方に向けて押し、第２付勢部材１３３の付勢力に抗するように第２フック部材１１６を第２回動軸１１４を中心として反時計回りに回動させることができる（図４）。
【００４４】
第２フック部材１１６は、折り畳み状態から使用状態に座フレーム８０が回動されると、座フレーム８０と一体に座部支持軸７１を中心として回動し、図５に示すように第２フック部１１６ａが第２ロックピン１１５に接近する。そして、第２フック部１１６ａの外側が第２ロックピン１１５に当接すると、第２フック部材１１６は第２付勢部材１３３の付勢力に抗しながら第２回動軸１１４を中心として半時計回りに回動し、図６に示すように第２フック部１１６ａに第２ロックピン１１５が係合した状態で、第２付勢部材１３３の付勢力によって固定される。これにより、座部５０の使用状態における座部支持アーム７０に対する座フレーム８０の回動位置が固定される。
【００４５】
以上説明した構造を有する医療台１０において、図１（ｂ）に示す診察ポジションから図２（ｂ）に示す安静ポジションへと移行する際の操作について説明する。まず、図１（ｂ）に示すように、診察ポジションでは座部５０は診察の邪魔とならないように下方に配置されているので、この座部５０を作動機構部３０により上昇させる（図２（ａ））。
【００４６】
図３に示すように折り畳み状態の座部５０において、レバー部材１２５を第３回動軸１２１を中心として反時計回りに回すように操作し、座フレームロック機構１１０および足受フレームロック機構１２０を解除する（図４）。これらのロックを解除することにより、座部支持アーム７０に対して座フレーム８０が回動可能となるとともに、座フレーム８０に対して足受フレーム９０が回動可能となる。この状態で、足受面（クッション材９１の上面）９１ａが座フレーム８０の座面（クッション材８２の上面）８２ａに対して略面一になり伸張状態で足受フレームロック機構１２０がロックされるまで足受フレーム９０を回動させる（図５）。
【００４７】
足受フレーム９０を折り畳み状態から伸張状態に向けて回動させる際、第３フック部材１２３は、第４フック部１２３ｂの外面が第４ロックピン１２４に押圧されることにより、第１付勢部材１３２の付勢力に抗して時計回りに回動する。そして、足受フレーム９０が伸張状態まで回動されると、第１付勢部材１３２の付勢力によって反時計回りに回動して第４フック部１２３ｂが第４ロックピン１２４に係合し、座フレーム８０に対して足受フレーム９０がロックされた状態で固定される（図５）。
【００４８】
さらに、略面一でロックされた座フレーム８０の座面８２ａおよび足受フレーム９０の足受面９１ａが略水平となって座フレームロック機構１１０がロックされるまで、さらに座フレーム８０を回動させる（図６）。
【００４９】
座フレーム８０を折り畳み状態から使用状態に向けて回動させる際、第２フック部材１１６は、第２フック部１１６ａの外面が第２ロックピン１１５に押圧されることにより、第２付勢部材１３３の付勢力に抗して反時計回りに回動する。そして、座フレーム８０が使用状態まで回動されると、第２付勢部材１３３の付勢力によって時計回りに回動して第２フック部１１６ａが第２ロックピン１１５に係合し、座部支持アーム７０に対して座フレーム８０がロックされた状態で固定される（図６）
【００５０】
このように、足受フレームロック機構１２０および座フレームロック機構１１０が使用状態でロックされることにより、座部５０の回動位置が安定し、医療台１０を安静ポジションに固定することができる（図２（ｂ））。
【００５１】
そして、医療台１０を安静ポジションから椅子ポジションに戻す際には、レバー部材１２５を回動させて各ロック状態を解除し、座部５０が折り畳み状態でロックされるまで座フレーム８０および足受フレーム９０を回動させて戻せばよい。
【００５２】
すなわち、レバー部材１２５を時計回りに回動させることにより第２フック部材１１６の第２フック部１１６ａと第２ロックピン１１５との係合および第３フック部材１２３の第４フック部１２３ｂと第４ロックピン１２４との係合を解除し、図７に示すように座フレーム８０および足受フレーム９０を回動させる。
【００５３】
そして、第１フック部材１１３の第１フック部１１３ａと第１ロックピン１１２とを係合させて座部支持アーム７０と座フレーム８０との回動位置を固定するとともに、第３フック部材１２３の第３フック部１２３ａと第３ロックピン１２２とを係合させて座フレーム８０と足受フレーム９０との回動位置を固定することにより、座部５０を折り畳み状態にロックする。
【００５４】
以上説明したように、この医療台１０によれば、レバー部材１２５を操作して各ロック状態を解除するだけで、座フレーム８０および足受フレーム９０の回動が可能となり、座部５０を椅子ポジションおよび診察ポジションにおける折り畳み状態と安静ポジションにおける使用状態とに容易かつ迅速に移行できる。また、解除されたロックは、座フレーム８０および足受フレーム９０を適切な角度位置に回動させるだけで再度ロックされるので、使用状態または折り畳み状態において座部５０が不随意に回動することなく、患者を安全に支えることができる。
【００５５】
なお、本発明は前記実施形態の構成のものに限定されるものではなく、細部構成においては、本発明の趣旨を逸脱しない範囲において種々の変更を加えることが可能である。
【符号の説明】
【００５６】
１０  医療台
２０  ベース
３０  作動機構部
３１  スイッチ
４０  背板部
４１  背板
４２  腰板
４３  肘受
５０  座部
６０  支脚器
６１  支脚アーム
６２  股受
７０  座部支持アーム
７１  座部支持軸
７２  ダンパー
８０  座フレーム
８１  足受支持軸
８２  クッション材
８２ａ  上面（座面）
９０  足受フレーム
９１  クッション材
９１ａ  上面（足受面）
１００  座部機構部
１１０  座フレームロック機構
１１１  第１回動軸
１１２  第１ロックピン
１１３  第１フック部材
１１３ａ  第１フック部
１１４  第２回動軸
１１５  第２ロックピン
１１６  第２フック部材
１１６ａ  第２フック部
１１６ｂ  係合部
１２０  足受フレームロック機構
１２１  第３回動軸
１２２  第３ロックピン
１２３  第３フック部材
１２３ａ  第３フック部
１２３ｂ  第４フック部
１２４  第４ロックピン
１２５  レバー部材
１３０  リンク機構
１３１  ロッド部材
１３１ａ  ロッド支持軸
１３１ｂ  回動ピン
１３２  第１付勢部材
１３３  第２付勢部材
【図１】
2014064811.tif 000003
【図２】
2014064811.tif 000004
【図３】
2014064811.tif 000005
【図４】
2014064811.tif 000006
【図５】
2014064811.tif 000007
【図６】
2014064811.tif 000008
【図７】
2014064811.tif 000009